(57)【要約】      （修正有）【課題】２個のボックスパレットを連結することにより、ボックスパレットのコンテナーへの収納作業の作業効率を向上させる。【解決手段】相対する高部土手部と相対する低部土手部とを有するパレット部材と、相対する高部土手部に配置される引き抜き側壁部材２と、相対する低部土手部に配置されるヒンジ連結側壁部材３とからなるボックスパレットにおいて、ナット部と該ナット部が収納されるナット収納部とからなるナット部材Ｎ１を、引き抜き側壁部材に形成されたナット部材挿入孔５に挿入するとともに、並設された２個のボックスパレットを、ボックスパレット用連結部材Ｃ１を介して、ボルトを、ナット収納部に収納されたナット部に螺合させることにより、２個のボックスパレットを連結した。【選択図】図１３
2014172617.tif 000002
【特許請求の範囲】
【請求項１】
相対する高部土手部と相対する低部土手部とを有するパレット部材と、相対する高部土手部に配置される引き抜き側壁部材と、相対する低部土手部に配置されるヒンジ連結側壁部材とからなるボックスパレットにおいて、ナット部と該ナット部が収納されるナット収納部とからなるナット部材を、引き抜き側壁部材に形成されたナット部材挿入孔に挿入するとともに、並設された２個のボックスパレットを、ボックスパレット用連結部材を介して、ボルトを、ナット収納部に収納されたナット部に螺合させることにより、２個のボックスパレットを連結したことを特徴とするボックスパレット。
【請求項２】
引き抜き側壁部材に形成されたナット部材挿入孔に、ナット部材を挿入するとともに、パレット部材に形成されたナット部材挿入孔に、ナット部材を挿入し、側壁部材・パレット部材分離阻止用連結部材を介して、ボルトを、ナット収納部に収納されたナット部に螺合させることにより、引き抜き側壁部材とパレット部材とを連結したことを特徴とする請求項１に記載のボックスパレット。
【発明の詳細な説明】
【技術分野】
【０００１】
本発明は、相対する高部土手部、相対する低部土手部及びフォーク挿入口が形成されているパレット部材と、相対する高部土手部に上方に引き抜き可能な側壁部材と、相対する低部土手部にヒンジ連結された側壁部材とからなり、高部土手部に、略垂直に立てられた状態の側壁部材を、上方に引き抜き、次いで、低部土手部にヒンジ連結された略垂直な側壁部材を、パレット部材に重なるように倒し、その後、パレット部材に重なるように倒された側壁部材を覆うように、引き抜かれた側壁部材を重ねるように構成されたボックスパレットに関するものである。
【背景技術】
【０００２】
上述した構成を有するボックスパレットは、一例として、特許文献１に開示されている。
【先行技術文献】
【特許文献】
【０００３】
【特許文献１】特開２０１２−１９２９３８号公報
【発明の概要】
【発明が解決しようとする課題】
【０００４】
従来、ボックスパレットは、１個ずつ、コンテナーに積み込まれ、その後、トラックやトレーラーの荷台に、複数のボックスパレットが収容されたコンテナーを載置して運送されていたが、ボックスパレットを、１個ずつ、コンテナーに積み込んでいたために、ボックスパレットのコンテナーへの収納作業に、多大の時間と労力が必要となり、ボックスパレットのコンテナーへの収納作業の作業効率が悪いという問題があった。
【０００５】
本発明の目的は、上述した従来のボックスパレットのコンテナーへの収納作業における課題を解決することにある。
【課題を解決するための手段】
【０００６】
本発明は、上述した目的を達成するために、相対する高部土手部と相対する低部土手部とを有するパレット部材と、相対する高部土手部に配置される引き抜き側壁部材と、相対する低部土手部に配置されるヒンジ連結側壁部材とからなるボックスパレットにおいて、第１には、ナット部と該ナット部が収納されるナット収納部とからなるナット部材を、引き抜き側壁部材に形成されたナット部材挿入孔に挿入するとともに、並設された２個のボックスパレットを、ボックスパレット用連結部材を介して、ボルトを、ナット収納部に収納されたナット部に螺合させることにより、２個のボックスパレットを連結したものであり、第２には、引き抜き側壁部材に形成されたナット部材挿入孔に、ナット部材を挿入するとともに、パレット部材に形成されたナット部材挿入孔に、ナット部材を挿入し、側壁部材・パレット部材分離阻止用連結部材を介して、ボルトを、ナット収納部に収納されたナット部に螺合させることにより、引き抜き側壁部材とパレット部材とを連結したものである。
【発明の効果】
【０００７】
相対する高部土手部と相対する低部土手部とを有するパレット部材と、相対する高部土手部に配置される引き抜き側壁部材と、相対する低部土手部に配置されるヒンジ連結側壁部材とからなるボックスパレットにおいて、ナット部と該ナット部が収納されるナット収納部とからなるナット部材を、引き抜き側壁部材に形成されたナット部材挿入孔に挿入するとともに、並設された２個のボックスパレットを、ボックスパレット用連結部材を介して、ボルトを、ナット収納部に収納されたナット部に螺合させることにより、２個のボックスパレットを連結したので、ボックスパレットのコンテナーへの収納作業の作業効率を向上することができる。
【０００８】
引き抜き側壁部材に形成されたナット部材挿入孔に、ナット部材を挿入するとともに、パレット部材に形成されたナット部材挿入孔に、ナット部材を挿入し、側壁部材・パレット部材分離阻止用連結部材を介して、ボルトを、ナット収納部に収納されたナット部に螺合させることにより、引き抜き側壁部材とパレット部材とを連結したので、連結された２個のボックスパレットを、ホークリフトにより搬送する際に、安定した状態で、連結された２個のボックスパレット、コンテナーに積み込むことができる。
【０００９】
ナット部材のナット収納部に収納されたナット部が、ナット収納部から取り外し可能に構成されているので、ナット部のネジ孔のネジ山が潰れる等のナット部が損傷した際に、ナット部のみを交換することができ、従って、損傷したナット部Ｎの交換作業を、短時間に、且つ、間単に行うことができる。
【図面の簡単な説明】
【００１０】
【図１】図１は、本発明のボックスパレットの斜視図である。
【図２】図２は、本発明のボックスパレットを構成するパレット部材の斜視図である。
【図３】図３は、本発明のボックスパレットが折り畳まれた状態の斜視図である。
【図４】図４は、本発明のボックスパレットを構成する引き抜き側壁部材の上部角部付近の部分拡大斜視図である。
【図５】図５は、本発明のボックスパレットを構成する引き抜き側壁部材の上部角部付近の部分拡大垂直断面図である。
【図６】図６は、本発明のボックスパレットを構成するナット部材の分解斜視図である。
【図７】図７は、同じく、本発明のボックスパレットを構成するナット部材の斜視図である。
【図８】図８は、同じく、本発明のボックスパレットを構成するナット部材の斜視図である。
【図９】図９は、本発明のボックスパレットを構成する引き抜き側壁部材とナット部材の部分分解斜視図である。
【図１０】図１０は、本発明のボックスパレットのボックスパレット用連結部材を含む分解拡大斜視図である。
【図１１】図１１は、本発明のボックスパレットにナット部材が取り付けられた状態の垂直断面を含む部分斜視図である。
【図１２】図１２は、本発明の２個のボックスパレットが連結されたあ状態の斜視図である。
【図１３】図１３は、本発明の２個のボックスパレットが連結されたあ状態の部分拡大斜視図である。
【図１４】図１４は、本発明のボックスパレットの引き抜き側壁部材とパレット部材との連結状態を示す部分拡大分解斜視図である。
【図１５】図１５は、同じく、本発明のボックスパレットの引き抜き側壁部材とパレット部材との連結状態を示す部分拡大分解斜視図である。
【図１６】図１６は、本発明のボックスパレットの引き抜き側壁部材とパレット部材とが連結状態された状態の部分拡大斜視図である。
【図１７】図１７は、本発明のボックスパレットの別の実施例のナット部材の分解斜視図である。
【図１８】図１８は、図１７に示されている別の実施例のナット部材の垂直断面を含む斜視図である。
【図１９】図１９は、本発明のボックスパレットの更に別の実施例のナット部材の分解斜視図である。
【図２０】図２０は、図１９に示されている更に別の実施例のナット部材の垂直断面を含む斜視図である。
【実施例】
【００１１】
以下に、本発明の実施例について説明するが、本発明の趣旨を越えない限り、何ら、本発明の実施例に限定されるものではない。
【００１２】
図１において、Ｂは、ボックスパレットであり、ボックスパレットＢは、パレット部材１と、相対する一方の側壁部材２と、相対するもう一方の側壁部材３とから構成されている。
【００１３】
図１及び図２に示されているように、パレット部材１は、パレット部材１の相対する一方の辺部に形成された土手部１ａと、パレット部材１の相対するもう一方の辺部に形成された土手部１ｂとを有しているとともに、相対する一方の辺部に形成された土手部１ａは、相対するもう一方の辺部に形成された土手部１ｂより高く形成されている。以下、相対する一方の辺部に形成された土手部１ａを、高部土手部と称し、また、高部土手部１ａより低い、相対するもう一方の辺部に形成された土手部１ｂを、以下、低部土手部と称する。
【００１４】
パレット部材１の裏面１ｃの相対する辺部には、低部土手部１ｂに沿って、側部桁１ｄが形成されており、また、相対する側部桁１ｄの中間部には、側部桁１ｄに略平行な中間桁１ｅが形成されており、裏面１ｃと側部桁１ｄと中間桁１ｅとにより、２本のフォーク挿入口１ｆが形成されている。このように、本発明のボックスパレットＢは、所謂、２方差しのボックスパレットＢとして構成されており、勿論、所謂、４方差しのボックスパレットＢとして構成することもできる。
【００１５】
相対する一方の側壁部材２と相対するもう一方の側壁部材３とが、共に、略垂直に立てられた状態から、特許文献１に開示されているように、一方の側壁部材２を、高部土手部１ａから上方に引き抜き、次いで、低部土手部１ｂにヒンジ連結されたもう一方の側壁部材３を、パレット部材１に重なるように倒し、その後、引き抜かれた相対する一方の側壁部材２を、パレット部材１に重ねられた相対するもう一方の側壁部材３に重ねることにより、図１に示されている箱型に組み立てられたボックスパレットＢを、図３に示されているように、折り畳むことができるように構成されている。
【００１６】
なお、以下においては、箱型に組み立てられた状態のボックスパレットＢから引き抜かれる相対する一方の側壁部材２を、引き抜き側壁部材と称し、また、低部土手部１ｂにヒンジ連結されたもう一方の側壁部材３を、ヒンジ連結側壁部材と称する。
【００１７】
図１及び図４に示されているように、引き抜き側壁部材２の上端角部には、引き抜き側壁部材２の外壁面を削除することにより、連結部材用嵌合凹部４が形成されている。
【００１８】
連結部材用嵌合凹部４の奥壁４ａの背後に位置する引き抜き側壁部材２には、後述するナット部材が、上方から挿入可能なナット部材挿入孔５が形成されている。ナット部材挿入孔５は、連結部材用嵌合凹部４の奥壁４ａと、該奥壁４ａと相対する内側垂直壁（ボックスパレットＢが組み立てられた際に、ボックスパレットＢの内側に位置する垂直壁）５ａと、奥壁４ａ及び内側垂直壁５ａに垂直な相対する垂直側壁５ｂと、底部５ｃとから形成されており、底部５ｃの中央部には、奥壁４ａと内側垂直壁５ａとを連結する位置決め突条５ｃ１が形成されている。また、内側垂直壁５ａの上部には、内側垂直壁５ａの上端に平行な一対の係止孔５ａ１が穿設されている。なお、５ｄは、内側垂直壁５ａに形成されたボルトの先端が挿入可能な透孔である。
【００１９】
次に、図６〜図８を用いて、引き抜き側壁部材２に形成されたナット部材挿入孔５に挿入されるナット部材Ｎ１について説明する。
【００２０】
ナット部材Ｎ１は、ナット収納部Ｎ１’と、ナット収納部Ｎ１’に収納されるナット部Ｎ１”とから構成されている。
【００２１】
ナット収納部Ｎ１’は、正面形状が略方形状の板状本体ｎ１を有している。板状本体ｎ１には、板状本体ｎ１の相対する垂直端面ｎ１ａから、互いに接近する方向に延在する水平スリット部ｎ２ａと、水平スリット部ｎ２ａの奥部から下方に、且つ、垂直に延在する垂直スリット部ｎ２ｂとからなるスリットｎ２が形成されており、このようなスリットｎ２を形成することにより、板状本体ｎ１の垂直端面ｎ１ａ付近には、弾性変形可能な弾性棒体ｎ３が立設されている。また、弾性棒体ｎ３の上端部には、板状本体ｎ１の略平坦な面ｎ１ｂから突出した係止突起ｎ３ａが形成されている。
【００２２】
板状本体ｎ１の略平坦な面ｎ１ｂと相対する面には、略方形状のナット収納凹部ｎ４が形成されており、ナット収納凹部ｎ４の奥壁ｎ４ａの中央部には、透孔ｎ４ｂが穿設されている。ｎ５は、板状本体ｎ１の裏面ｎ１ｃの中央部に形成された板状本体ｎ１の厚さ方向に延在する位置決め凹部である。この位置決め凹部ｎ５には、引き抜き側壁部材２に形成されたナット部材挿入孔５の底部５ｃの中央部に突設された位置決め突条５ｃ１が嵌合されるように構成されている。このように、板状本体ｎ１の裏面ｎ１ｃに形成された位置決め凹部ｎ５に、引き抜き側壁部材２に形成されたナット部材挿入孔５の底部５ｃに突設された位置決め突条５ｃ１を嵌合するように構成されているので、ナット部材挿入孔５に収納されたナット収納部Ｎ１’の水平方向への移動を抑制することができる。また、ｎ６は、ナット収納凹部ｎ４の底面ｎ４ｃの先端部付近に突設された係止突条である。
【００２３】
ナット部Ｎ１”は、ナット収納部Ｎ１’に形成されたナット収納凹部ｎ４に嵌合されるように構成されており、ナット部Ｎ１”には、ねじ孔ｎ７が穿設されている。
【００２４】
図６及び図８に示されているように、ナット収納部Ｎ１’に形成されたナット収納凹部ｎ４に、ナット部Ｎ１”を嵌合させるとともに、ナット部Ｎ１”の全面下端部を、ナット収納凹部ｎ４の底面ｎ４ｃに突設された係止突条ｎ６に係止させることにより、ナット部Ｎ１”が、簡単には、ナット収納凹部ｎ４から外れないように構成されている。
【００２５】
次いで、図９に示されているように、ナット収納部Ｎ１’のナット収納凹部ｎ４に、ナット部Ｎ１”が嵌合されたナット部材Ｎ１を、引き抜き側壁部材２に形成されたナット部材挿入孔５に、ナット収納部Ｎ１’の板状本体ｎ１の略平坦な面ｎ１ｂが、ナット部材挿入孔５の内側垂直壁５ａと相対するように挿入する。ナット部材挿入孔５に、ナット部材Ｎ１が挿入された際には、板状本体ｎ１の裏面ｎ１ｃに形成された位置決め凹部ｎ５に、引き抜き側壁部材２に形成されたナット部材挿入孔５の底部５ｃに突設された位置決め突条５ｃ１が嵌合されるように構成されているとともに、板状本体ｎ１の略平坦な面ｎ１ｂから突出した、弾性棒体ｎ３に形成された係止突起ｎ３ａが、ナット部材挿入孔５の内側垂直壁５ａに穿設された係止孔５ａ１に嵌合され、ナット収納部Ｎ１’が、ナット部材挿入孔５の内側垂直壁５ａに係止されるように構成されている。このようにして、ナット部材Ｎ１が、引き抜き側壁部材２に形成されたナット部材挿入孔５に取り付けられることになる。
【００２６】
なお、引き抜き側壁部材２に形成されたナット部材挿入孔５に挿入されたナット部材Ｎ１を、ナット部材挿入孔５から取り出すには、ナット部材挿入孔５の内側垂直壁５ａに穿設された係止孔５ａ１に、ドライバー等の適当な棒材を挿入し、弾性棒体ｎ３を弾性変形させて、弾性棒体ｎ３に形成された係止突起ｎ３ａを、ナット部材挿入孔５の内側垂直壁５ａに穿設された係止孔５ａ１から排出させるとともに、ナット部材Ｎ１を上方に引き抜くことにより、ナット部材Ｎ１を、ナット部材挿入孔５から取り出すことができる。
【００２７】
Ｃ１は、両端部にボルト挿入孔ｃ１が穿設された横長のボックスパレット用連結部材Ｃ１であり、ボックスパレット用連結部材Ｃ１の半分が、それぞれ、並設された２個のボックスパレットＢの連結部材嵌合凹部４に嵌合するように配置し、その後、ボックスパレット用連結部材Ｃ１に穿設されたボルト挿入孔ｃ１にボルトＨを挿通する。その後、ボルトＨの先端部を、引き抜き側壁部材２の上端角部に形成された連結部材嵌合凹部４に穿設されたボルト挿入孔４ｂに挿入するとともに、ナット部材挿入孔５に挿入されたナット部材Ｎ１のナット部Ｎ１”に螺合させることにより、図１３に示されているように、２個のボックスパレットＢを連結するように構成されている。
【００２８】
上述したように、ボックスパレット用連結部材Ｃ１及び引き抜き側壁部材２に形成されたナット部材挿入孔５に挿入されたナット部材Ｎ１により、図１２に示されているように、２個のボックスパレットＢを連結するように構成したので、連結された２個のボックスパレットＢの隣接するフォーク挿入口１ｆに、ホークリフトのフォークＦを挿入し、連結された２個のボックスパレットＢを、一度に、搬送することができるので、ボックスパレットＢのコンテナーへの収納作業の作業効率を向上することができる。
【００２９】
次に、図１４〜図１６を用いて、引き抜き側壁部材２とパレット部材１とが離反しないように、引き抜き側壁部材２とパレット部材１の高部土手部１ａとが、上述したナット部Ｎ１”が嵌合されたナット部材Ｎ１と、側壁部材・パレット部材分離阻止用連結部材Ｃ２とにより連結される構成について説明する。
【００３０】
側壁部材・パレット部材分離阻止用連結部材Ｃ２は、上下方向に配置される引き抜き側壁部材２とパレット部材１の高部土手部１ａとを連結することになるので、上述したボックスパレット用連結部材Ｃ１と異なり、縦長で、上下端部には、ボルト挿入孔ｃ２が穿設されている。ナット部材Ｎ１は同じである。
【００３１】
図１４に示されているように、引き抜き側壁部材２の下部には、裏面が開口されている以外は、上述したナット部材挿入孔５と同様の引き抜き側壁部材２側のナット部材挿入孔５が形成されており、また、図１５に示されているように、パレット部材１の上部には、引き抜き側壁部材２の下部に形成されたナット部材挿入孔５に対応して、上面が開口された上述したナット部材挿入孔５と同様のパレット部材１側のナット部材挿入孔５が形成されている。
【００３２】
上述したと同様に、ナット収納部Ｎ１’のナット収納凹部ｎ４に、ナット部Ｎ１”が嵌合されたナット部材Ｎ１を、引き抜き側壁部材２側のナット部材挿入孔５に挿入するとともに、同じく、ナット収納部Ｎ１’のナット収納凹部ｎ４に、ナット部Ｎ１”が嵌合されたナット部材Ｎ１を、パレット部材１側のナット部材挿入孔５に挿入する。ナット部材Ｎ１を、パレット部材１側のナット部材挿入孔５に挿入した際には、上述した実施例と同様に、弾性棒体ｎ３に形成された係止突起ｎ３ａが、ナット部材挿入孔５の外側垂直壁（ボックスパレットＢが組み立てられた際に、ボックスパレットＢの外側に位置する垂直壁）５ａ’に穿設された係止孔５ａ１に嵌合され、ナット部材Ｎ１が、ナット部材挿入孔５に取り付けられるように構成されている。
【００３３】
次いで、側壁部材・パレット部材分離阻止用連結部材Ｃ２の上方に位置するボルト挿入孔ｃ２にボルトＨを挿入するとともに、ボルトＨの先端部を、引き抜き側壁部材２に穿設されたボルト挿入孔２ａ及びナット収納凹部ｎ４の奥壁ｎ４ａに穿設された透孔ｎ４ｂに挿入し、ボルトＨの先端部を、引き抜き側壁部材２側のナット部材挿入孔５に挿入されたナット部材Ｎ１のナット部Ｎ１”に螺合させる。同様にして、側壁部材・パレット部材分離阻止用連結部材Ｃ２の下方に位置するボルト挿入孔ｃ２にボルトＨを挿入するとともに、ボルトＨの先端部を、パレット部材１の高部土手部１ａに穿設されたボルト挿入孔１ａ１及びナット収納凹部ｎ４の奥壁ｎ４ａに穿設された透孔ｎ４ｂに挿入し、ボルトＨの先端部を、パレット部材１側のナット部材挿入孔５に挿入されたナット部材Ｎ１のナット部Ｎ１”に螺合させる。このようにして、図１６に示されているように、引き抜き側壁部材２とパレット部材１とを連結する。
【００３４】
上述したように、引き抜き側壁部材２とパレット部材１とを連結するように構成することにより、パレット部材１と引き抜き側壁部材２との分離を防止することができる。従って、連結された２個のボックスパレットＢを、ホークリフトにより搬送する際に、安定した状態で、連結された２個のボックスパレットＢを、コンテナーに積み込むことができる。
【００３５】
次に、図１７及び図１８を用いて、ナット部材の別の実施例を説明する。
【００３６】
本実施例においても、上述した実施例と同様に、ナット部材Ｎ２は、引き抜き側壁部材２に形成されたナット収納部Ｎ２’と該ナット収納部Ｎ２’に収納されるナット部Ｎ２”とを有している。
【００３７】
ナット収納部Ｎ２’は、ブロック状本体ｎ１０を有しており、ブロック状本体ｎ１０には、上面に開口を有するナット収納凹部ｎ１１が形成されている。また、ナット収納凹部ｎ１１を形成する前板（ナット部材Ｎ２を、ナット収納凹部ｎ１１に挿入した際に、ボックスパレットの外側に位置する部分）に、相対する縦長のスリットｎ１０ａを形成することにより、ブロック状本体ｎ１０には、弾性舌片ｎ１０ｂが形成されている。また、弾性舌片ｎ１０ｂには、ボルトＨが挿入される透孔ｎ１０ｃが穿設されている。
【００３８】
弾性舌片ｎ１０ｂのナット収納凹部ｎ１１側の内面には、上面に、ナット収納凹部ｎ１１側の内面から下方に傾斜した上面傾斜面ｎ１２ａを有する係止ブロックｎ１２が形成されており、また、係止ブロックｎ１２の垂直面には、ナット部Ｎ２”の上面に当接する係止部ｎ１２ｂが突設されている。
【００３９】
上述したナット部Ｎ１”と同様のナット部Ｎ２”を、上方から、係止ブロックｎ１２の上面傾斜面ｎ１２ａに沿って、ナット収納凹部ｎ１１に挿入すると、ナット部Ｎ１”が係止ブロックｎ１２に当接し、弾性舌片ｎ１０ｂを外側に弾性変形させる。そして、ナット部Ｎ２”が、係止ブロックｎ１２の係止部ｎ１２ｂから外れた時点で、弾性舌片ｎ１０ｂが、ナット収納凹部ｎ１１方向に復元し、ナット部Ｎ２”の上面が、係止部ｎ１２ｂの下面に当接し、ナット部Ｎ２”が、係止部ｎ１２ｂにより係止され、ナット部Ｎ２”のナット収納凹部ｎ１１からの排出が阻止されることになる。ナット部Ｎ２”を、ナット収納凹部ｎ１１から取り出す際には、弾性舌片ｎ１０ｂを外側に弾性変形させて、ナット部Ｎ２”と係止ブロックｎ１２の係止部ｎ１２ｂとの係止状態を解除し、その後、ナット部Ｎ２”を上方に引き抜くことにより、ナット部Ｎ２”を、ナット収納部Ｎ２’のナット収納凹部ｎ１１から取り出すことができる。
【００４０】
次に、図１９及び図２０を用いて、ナット部材の更に別の実施例について説明する。
【００４１】
本実施例においては、ナット部材Ｎ３は、引き抜き側壁部材２に形成されたナット収納部Ｎ３’と該ナット収納部Ｎ３’に収納されるナット部Ｎ３”とナット固定部材Ｎ３Ａとから構成されている。
【００４２】
ナット収納部Ｎ３’は、ブロック状本体ｎ２０を有しており、ブロック状本体ｎ２０には、上面に開口を有するナット収納凹部ｎ２１が形成されている。また、ブロック状本体ｎ２０の一方の垂直壁ｎ２２には、ナット収納凹部ｎ２１に連通するとともに、水平方向に所定の間隔で穿設された係止孔ｎ２３が穿設されている。更に、垂直壁ｎ２２には、ボルトＨが挿入される透孔ｎ２４が穿設されている。
【００４３】
本実施例のナット部Ｎ３”も、上述したナット部Ｎ１”、Ｎ２”と同様の構成を有しており、また、ナット部Ｎ３”は、図２０に示されているように、ナット収納部Ｎ３’に形成されたナット収納凹部ｎ２１に挿入されるように構成されている。
【００４４】
ナット固定部材Ｎ３Ａは、水平状の板部ｎ２５と、板部ｎ２５の裏面に垂設された一対の弾性変形可能な弾性垂設棒ｎ２６とからなり、弾性垂設棒ｎ２６の下端部には、上述したブロック状本体ｎ２０の一方の垂直壁ｎ２２に穿設された係止孔ｎ２３に挿入される係止突起ｎ２６ａが形成されている。
【００４５】
ナット部材Ｎ３のナット収納部Ｎ３’に、ナット部Ｎ３”を取り付けるには、先ず最初に、ナット収納部Ｎ３’のナット収納凹部ｎ２１に、ナット部Ｎ３”を挿入し、次いで、ナット収納凹部ｎ２１に、ナット固定部材Ｎ３Ａを挿入するとともに、ナット固定部材Ｎ３Ａを構成する弾性垂設棒ｎ２６の係止突起ｎ２６ａを、ブロック状本体ｎ２０の垂直壁ｎ２２に穿設された係止孔ｎ２３に挿入し、ナット固定部材Ｎ３Ａを、ナット収納部Ｎ３’に取り付ける。このようにして、ナット収納部Ｎ３’に、ナット部Ｎ３”が取り付けられることになる。
【００４６】
ナット部材Ｎ３から、ナット部Ｎ３”を取り外すには、先ず最初に、ブロック状本体ｎ２０の垂直壁ｎ２２に穿設された係止孔ｎ２３に、ドライバー等の適当な棒材を挿入し、弾性垂設棒ｎ２６を押して弾性変形させて、係止孔ｎ２３から、弾性垂設棒ｎ２６に形成された係止突起ｎ２６ａを排出させて、ナット固定部材Ｎ３Ａを、ナット収納凹部ｎ２１から取り出し、その後、ナット部Ｎ３”を、ナット収納凹部ｎ２１から取り出す。
【００４７】
上述したように、ボックスパレット用連結部材Ｃ１、引き抜き側壁部材２に形成されたナット部材挿入孔５に挿入されたナット部材Ｎ１や引き抜き側壁部材２に形成されたナット部材Ｎ２、Ｎ３及びボルトＨにより、２個のボックスパレットＢを連結するように構成したので、連結された２個のボックスパレットＢの隣接するフォーク挿入口１ｆに、ホークリフトのフォークＦを挿入し、連結された２個のボックスパレットＢを、一度に、搬送することができるので、ボックスパレットＢのコンテナーへの収納作業の作業効率を向上することができる。
【００４８】
また、上述したように、側壁部材・パレット部材分離阻止用連結部材Ｃ２、引き抜き側壁部材２側のナット部材挿入孔５に挿入されたナット部材Ｎ１や引き抜き側壁部材２に形成されたナット部材Ｎ２、Ｎ３及びボルトＨにより、引き抜き側壁部材２とパレット部材１とを連結するように構成したので、パレット部材１と引き抜き側壁部材２との分離を防止することができ、従って、連結された２個のボックスパレットＢを、ホークリフトにより搬送する際に、安定した状態で、連結された２個のボックスパレットＢを、コンテナーに積み込むことができる。  
【００４９】
更に、上述したように、ナット部材Ｎ１、Ｎ２、Ｎ３のナット収納部Ｎ１’、Ｎ２’、Ｎ３’に収納されたナット部Ｎ１”、Ｎ２”、Ｎ３”が、ナット収納部Ｎ１’、Ｎ２’、Ｎ３’から取り外し可能に構成されているので、ナット部Ｎ１”、Ｎ２”、Ｎ３”のネジ孔ｎ７のネジ山が潰れる等のナット部Ｎ１”、Ｎ２”、Ｎ３”が損傷した際に、ナット部Ｎ１”、Ｎ２”、Ｎ３”のみを交換することができ、従って、損傷したナット部Ｎ１”、Ｎ２”、Ｎ３”の交換作業を、短時間に、且つ、間単に行うことができる。
【００５０】
従来、引き抜き側壁部材２等に、一体的にナットを埋め込むインサートナット手法が用いられているが、インサートナットが損傷した際には、インサートナットが埋め込まれた引き抜き側壁部材２等の全体を交換しなければならず、ナット部Ｎ１”、Ｎ２”、Ｎ３”のみを交換する場合に比べて、交換コストが嵩むとともに、金属製のインサートナットが埋め込まれた引き抜き側壁部材２等のリサイクルも容易となる。
【符号の説明】
【００５１】
Ｂ・・・・・・・・・・・・ボックスパレット
Ｃ１・・・・・・・・・・・ボックスパレット用連結部材
Ｃ２・・・・・・・・・・・側壁部材・パレット部材分離阻止用連結部材
Ｎ１、Ｎ２、Ｎ３・・・・・ナット部材
Ｎ１’、Ｎ２’、Ｎ３’・・ナット収納部
Ｎ１”、Ｎ２”、Ｎ３”・・ナット部
１ｆ・・・・・・・・・・・フォーク挿入口
１・・・・・・・・・・・・パレット部材
１ａ・・・・・・・・・・・高部土手部
１ｂ・・・・・・・・・・・低部土手部
２・・・・・・・・・・・・引き抜き側壁部材
３・・・・・・・・・・・・ヒンジ連結側壁部材
【図１】
2014172617.tif 000003
【図２】
2014172617.tif 000004
【図３】
2014172617.tif 000005
【図４】
2014172617.tif 000006
【図５】
2014172617.tif 000007
【図６】
2014172617.tif 000008
【図７】
2014172617.tif 000009
【図８】
2014172617.tif 000010
【図９】
2014172617.tif 000011
【図１０】
2014172617.tif 000012
【図１１】
2014172617.tif 000013
【図１２】
2014172617.tif 000014
【図１３】
2014172617.tif 000015
【図１４】
2014172617.tif 000016
【図１５】
2014172617.tif 000017
【図１６】
2014172617.tif 000018
【図１７】
2014172617.tif 000019
【図１８】
2014172617.tif 000020
【図１９】
2014172617.tif 000021
【図２０】
2014172617.tif 000022